(57)【要約】【課題】容易かつ安全に架空地線を支持する架線金具を交換可能な架線金具取替装置を提供すること。【解決手段】本発明は、塔頂で架空地線を支持する架線金具１００を取り替えるための架線金具取替装置１であって、水平方向に延設する第１延設部２０，３０と、第１延設部２０，３０の端部から下方側に延設されると共に、端部に架空地線を支持可能なフック部２２，３２を有する第２延設部２１，３１と、を有する一対の架空地線支持アーム２，３と、一対の架空地線支持アーム２，３を固定させる固定部５と、固定部５を昇降させる伸縮部６と、伸縮部６を所定の場所に固定させるベース部７と、を有するジャッキ部４と、を備えることを特徴とする。【選択図】図１
2010193656.tif 000002
【特許請求の範囲】
【請求項１】
塔頂で架空地線を支持する架線金具を取り替えるための架線金具取替装置であって、
それぞれが水平方向に延設する第１延設部と前記第１延設部の端部から下方側に延設されると共に、端部に前記架空地線を支持可能なフック部を有する第２延設部とを有する一対の架空地線支持アームと、
前記一対の架空地線支持アームを固定させる固定部と、前記固定部を昇降させる伸縮部と、前記伸縮部を所定の場所に固定させるベース部と、を有するジャッキ部と、を備えることを特徴とする架線金具取替装置。
【請求項２】
前記固定部には、前記架空地線が架設される架設方向と略平行に延びる複数の長孔部が設けられており、
前記一対の架空地線支持アームそれぞれは、前記長孔部を介して前記固定部に固定されることを特徴とする請求項１に記載の架線金具取替装置。
【請求項３】
前記第１延設部は、伸縮可能に形成されることを特徴とする請求項１又は２に記載の架線金具取替装置。
【請求項４】
前記第２延設部は、伸縮可能に形成されることを特徴とする請求項１から３のいずれかに記載の架線金具取替装置。
【請求項５】
前記一対の架空地線支持アームそれぞれの前記フック部は、前記架空地線を支持できるように前記架線金具の両側に配置される請求項１から４のいずれかに記載の架線金具取替装置。
【発明の詳細な説明】
【技術分野】
【０００１】
本発明は、架線金具取替装置に関し、特に、架空地線を支持した状態の架線金具を取り替えるための架線金具取替装置に関する。
【背景技術】
【０００２】
一般に、電柱や鉄塔に架設される活線の上方には、架空地線が架線されている。架空地線は、活線を雷等から保護するために設けられるものであり、通常、電柱や鉄塔に取り付けられた腕金等に架線金具によって支持される。
【０００３】
ところで、架空地線を支持する架線金具は、架空地線が風や着雪等の外力により揺動するために、架線金具を支持する支持部分が局部的に摩耗する。そして、摩耗の進行に伴い支持部分の強度が低下し、支持部分から架線金具が破断した場合には、架空地線の下方に架設されている活線に架空地線が接触するおそれがある。そのため、従来より、架線金具は、架空地線と同様に定期的な保守点検が行われており、摩耗や錆、使用条件等を考慮した交換が行われていた。
【０００４】
架線金具の交換作業としては、従来、交換する架線金具の両端から２〜３ｍの位置それぞれの架空地線に、架空地線を把持する把持工具を取り付け、腕金の先からレバーブロックで把持工具ごと架空地線を持ち上げて保持し、この状態で架線金具を交換する方法がとられてきた（例えば、特許文献１参照）。
【先行技術文献】
【特許文献】
【０００５】
【特許文献１】実用新案登録第３０８８３６３号公報
【発明の概要】
【発明が解決しようとする課題】
【０００６】
しかしながら、特許文献１に記載の取替工具を用いた従来の架線金具の交換作業は、取替工具として把持工具それぞれを引き上げる２セットのレバーブロックが必要であった。また、レバーブロックも架空地線の張力に対応した引張力を有する大型のものが必要であった。そのため、特許文献１に記載の取替工具を用いた従来の架線金具の交換作業は、２セットの大型のレバーブロックを取り扱う体力と、高所で大型のレバーブロックを取り扱う技術力を必要としていた。
【０００７】
また、２セットの大型のレバーブロックを用いた従来の架線金具の交換作業は、例えば、鉄塔が風等により揺動するため足場の安定しない作業になることから、作業時間も長くなり、作業性の悪いものであった。
【０００８】
本発明は、容易かつ安全に架線金具を交換可能な架線金具取替装置を提供することを目的とする。
【課題を解決するための手段】
【０００９】
本発明は、塔頂で架空地線を支持する架線金具を取り替えるための架線金具取替装置であって、それぞれが水平方向に延設する第１延設部と前記第１延設部の端部から下方側に延設されると共に、端部に前記架空地線を支持可能なフック部を有する第２延設部とを有する一対の架空地線支持アームと、前記一対の架空地線支持アームを固定させる固定部と、前記固定部を昇降させる伸縮部と、前記伸縮部を所定の場所に固定させるベース部と、を有するジャッキ部と、を備えることを特徴とする。
【００１０】
また、前記固定部には、前記架空地線が架設される架設方向と略平行に延びる複数の長孔部が設けられており、前記一対の架空地線支持アームそれぞれは、前記長孔部を介して前記固定部に固定されることが好ましい。
【００１１】
また、前記第１延設部は、伸縮可能に形成されることが好ましい。
【００１２】
また、前記第２延設部は、伸縮可能に形成されることが好ましい。
【００１３】
また、前記一対の架空地線支持アームそれぞれの前記フック部は、前記架空地線を支持できるように前記架線金具の両側に配置されることが好ましい。
【発明の効果】
【００１４】
本発明によれば、容易かつ安全に架空地線を支持する架線金具を交換可能な架線金具取替装置を提供することができる。
【図面の簡単な説明】
【００１５】
【図１】本発明の実施形態に係る架線金具取替装置を示す外観斜視図である。
【図２】本発明の実施形態に係る架線金具取替装置を示す側面図である。
【図３】（ａ）は、本発明の実施形態に係る架線金具取替装置を構成する架空地線操作棒を示す正面図であり、（ｂ）は、架空地線操作棒の平面図である。
【図４】（ａ）は、本発明の実施形態に係る架線金具取替装置を構成するジャッキ部を示す正面図であり、（ｂ）は、ジャッキ部の平面図である。
【図５】本発明の実施形態に係る架線金具取替装置の使用状態を示す平面図である。
【図６】本発明の実施形態に係る架線金具取替装置の使用状態を示す側面図である。
【発明を実施するための形態】
【００１６】
以下、本発明を実施するための最良の形態について、図面を参照しながら説明する。
本実施形態に係る架線金具取替装置１は、鉄塔（図示せず）の頂部で架空地線Ｗ（図２参照）を支持する架線金具１００を交換するために用いられる。架線金具１００の交換は、架線金具１００に支持された状態の架空地線Ｗを持ち上げ、一時的に架線金具取替装置１に架空地線Ｗを支持させることにより行われる。架線金具取替装置１により架空地線Ｗが支持された架線金具１００は、架空地線Ｗの支持状態から開放され、交換が可能になる。
【００１７】
まず、本実施形態に係る架線金具取替装置１の構成について説明する。
図１は、本発明の実施形態に係る架線金具取替装置を示す外観斜視図である。図２は、本実施形態に係る架線金具取替装置を示す側面図である。
【００１８】
図１に示すように、架線金具取替装置１は、一対の架空地線支持アームとしての第１架空地線支持棒２及び第２架空地線支持棒３と、ジャッキ部４と、を備えて構成されている。また、図２に示すように、架線金具取替装置１は、架線金具１００が取り付けられた腕金Ｕにジャッキ部４を固定し、架空地線Ｗを係合させた第１架空地線支持棒２及び第２架空地線支持棒３をジャッキ部４で持ち上げることにより、架線金具１００に支持された架空地線Ｗを支持可能に構成されている。
【００１９】
図３（ａ）は、本実施形態に係る架線金具取替装置を構成する架空地線操作棒の正面図を示し、図３（ｂ）は、前記架空地線操作棒の平面図を示す。
なお、本実施形態においては、第２架空地線支持棒３は、第１架空地線支持棒２と同様の構成であるため、第１架空地線支持棒２のみを説明し、第２架空地線支持棒３の説明は省略する。また、図面に付する符号も第１架空地線支持棒２は２０番台を使用するのに対して、第２架空地線支持棒３は３０番台を使用するものとする。
【００２０】
図３（ａ）及び図３（ｂ）に示すように、第１架空地線支持棒２は、棒状に形成されており、水平方向に延びる第１延設部２０と、第１延設部２０と略直交する方向に延びる第２延設部２１と、を備えて構成されている。つまり、第１架空地線支持棒２は、棒状部材を略直角に屈曲させた形状を有している。
【００２１】
第１延設部２０は、ジャッキ部４に固着可能に形成されている。具体的には、第１延設部２０には、第２延設部２１が連続する側と反対の端部２０ａ側に、第１延設部２０を貫通する一対の貫通孔２３，２４が形成されている。貫通孔２３，２４は、ジャッキ部４を構成する後述の固定部５に第１延設部２０を固定させるための固定ボルト５１，５２が貫通可能に形成されている。第１延設部２０は、貫通孔２３，２４に固定ボルト５１，５２を貫通させ、固定部５に固定ボルト５１，５２を締結させることにより、固定部５に固着される。
【００２２】
第２延設部２１は、第１延設部２０と連続しており、第１延設部２０と略直交する方向に延設するように形成されている。また、第２延設部２１の端部には、フック部２２が形成されている。フック部２２は、第２延設部２１の端部を略Ｕ字状に屈曲させることにより形成される。また、図３（ｂ）に示すように、フック部２２は、第１延設部２０の延設方向に対して所定の角度αを有するように形成されている。
【００２３】
図４（ａ）は、本発明の実施形態に係る架線金具取替装置を構成するジャッキ部の正面図を示し、図４（ｂ）は、前記ジャッキ部の平面図を示す。
図４（ａ）及び図４（ｂ）に示すように、ジャッキ部４は、固定部５と、伸縮部６と、ベース部７とを備えて構成されている。
【００２４】
固定部５は、縦長の矩形板状に形成されており、長孔部としての４つのボルト孔５５，５６，５７，５８が形成されている。ボルト孔５５，５６，５７，５８は、固定部５の角部にそれぞれ設けられており、固定部５の長手方向に延びるように縦長状に形成されている。また、ボルト孔５５，５６，５７，５８は、第１延設部２０を固定部５に固着させるための固定ボルト５１，５２，５３，５４を装着可能に形成されている。
【００２５】
伸縮部６は、伸縮可能な伸縮部本体６０と、伸縮部本体６０を収容する収容部６１と、伸縮部本体６０を伸縮させるための操作棒６２と、を有して構成されている。
伸縮部本体６０は、一方側が固定部５と連結されており、他方側がベース部７に接合されている。伸縮部本体６０は、固定部５を上下方向（図４（ａ）に示すＺ方向）に昇降させるように伸縮可能に構成されている。具体的には、伸縮部本体６０は、油圧により伸縮可能に構成されており、操作棒６２を操作することにより伸縮するように構成されている。
収容部６１は、筒状に形成されており、伸縮部本体６０を収容する。収容部は、上方側が開口しており、上方側から伸縮する伸縮部本体６０が露出するように形成されている。一方、収容部６１の下方側はベース部７に接合されている。また、収容部６１には、下部側に操作棒６２を装着させるための装着口６１ａが形成されている。装着口６１ａは、収容部６１の内部と連通しており、装着口６１ａを介して装着された操作棒６２が操作可能に形成されている。
操作棒６２は、伸縮部本体６０を伸縮させるために用いられる。操作棒６２は、装着口６１ａを介して伸縮部本体６０に装着可能に形成されており、装着口６１ａから装着された操作棒６２を上下方向（図４（ａ）に示すＺ方向）に動かすことにより、伸縮部本体６０が伸縮するように構成されている。
【００２６】
ベース部７は、縦長の矩形板状に形成されており、４つのボルト孔７５，７６，７７，７８が形成されている。ボルト孔７５，７６，７７，７８は、ベース部７の角部にそれぞれ設けられており、ベース部７の長手方向に延びるように縦長状に形成されている。また、ボルト孔７５，７６，７７，７８は、ベース部７を腕金Ｕに固定させるためのＵ字ボルト７１，７２，７３，７４を装着可能に形成されている。
【００２７】
次に、本実施形態に係る架線金具取替装置１の使用方法について説明する。
図５は、本実施形態に係る架線金具取替装置の使用状態を示す平面図である。図６は、本実施形態に係る架線金具取替装置の使用状態を示す側面図である。
【００２８】
図５及び図６に示すように、作業者は、まず、架線金具１００が取り付けられている腕金Ｕに架線金具取替装置１のベース部７を仮止めする。具体的には、Ｕ字ボルト７１，７２，７３，７４の取り外されたベース部７を腕金Ｕの上に載置し、腕金Ｕを取り込むようにしてＵ字ボルト７１，７２，７３，７４を配置させる。Ｕ字ボルト７１，７２，７３，７４は、腕金Ｕ側からベース部７のボルト孔７５，７６，７７，７８を貫通するように配置させる。Ｕ字ボルト７１，７２，７３，７４を上述のように配置させると、作業者は、ナットでＵ字ボルト７１，７２，７３，７４を締結し、ベース部７の仮止めを行う。
【００２９】
ベース部７の仮止めが完了すると、作業者は、第１架空地線支持棒２及び第２架空地線支持棒３を架空地線Ｗに係合させる。具体的には、架線金具１００の両端それぞれに、第１架空地線支持棒２のフック部２２と、第２架空地線支持棒３のフック部３２とを配置させ、架線金具１００の両端において架空地線Ｗとフック部２２，３２とを係合させる。
【００３０】
架空地線Ｗとフック部２２，３２とを係合させると、作業者は、第１架空地線支持棒２及び第２架空地線支持棒３を固定部５に固定させる。第１架空地線支持棒２及び第２架空地線支持棒３の固定部５への固定は、固定ボルト５１，５２，５３，５４を締結させることにより行われる。
【００３１】
なお、固定部５に設けられ、固定ボルト５１，５２，５３，５４が締結されるボルト孔５５，５６，５７，５８は、架空地線Ｗの架設方向と略平行な縦長状に形成されている。そのため、例えば、架線金具１００の両端で架空地線Ｗと第１架空地線支持棒２及び第２架空地線支持棒３とを係合させる場合においても、架線金具１００の両端における幅を調節しながら、第１架空地線支持棒２及び第２架空地線支持棒３を固定部に固定させることが可能になる。
【００３２】
第１架空地線支持棒２及び第２架空地線支持棒３を固定部５に固定させると、作業者は、仮止めされたベース部７を腕金Ｕに固定させる。ベース部７を腕金Ｕに固定すると、作業者は、操作棒６２を装着口６１ａから伸縮部本体６０に挿着させ、伸縮部本体６０を延伸させる。伸縮部本体６０が延伸すると、伸縮部本体６０の端部に連結された固定部５が上方に持ち上げられる。固定部５が上方に持ち上げられると、固定部５に固定された第１架空地線支持棒２及び第２架空地線支持棒３が固定部５と同様に上方に持ち上げられる。第１架空地線支持棒２及び第２架空地線支持棒３が上方に持ち上げられると、第１架空地線支持棒２及び第２架空地線支持棒３と係合する架空地線Ｗも上方に持ち上げられる。伸縮部本体６０により、所定量上方に持ち上げられた架空地線Ｗは、第１架空地線支持棒２及び第２架空地線支持棒３に支持された状態になる。つまり、架空地線Ｗは、第１架空地線支持棒２及び第２架空地線支持棒３に荷重がかかり、架線金具１００における重力方向への支持状態から開放された状態になる。
【００３３】
架空地線Ｗが第１架空地線支持棒２及び第２架空地線支持棒３により支持されると、架線金具１００は取り外しが可能になる。そこで、作業者は、架線金具１００を取り外し、新しい架線金具１００を取り付ける。つまり、作業者は架線金具１００の交換を行う。架線金具１００が交換されると、次いで、作業者は、操作棒６２を操作して延伸した伸縮部本体６０を縮ませる。作業者により伸縮部本体６０が縮まされると、固定部５及び固定部５に固定された第１架空地線支持棒２及び第２架空地線支持棒３が下降する。第１架空地線支持棒２及び第２架空地線支持棒３が下降すると、架空地線Ｗの重力方向における荷重は架線金具１００に係り、架空地線Ｗは架線金具１００に支持される状態になる。架空地線Ｗが架線金具に支持されると、作業者により上述と逆の作業が行われ、架線金具取替装置１を腕金Ｕから取り外し作業が終了する。
【００３４】
前述した構成を有する本実施形態に係る架線金具取替装置１によれば、以下に示す効果が奏される。
例えば、本実施形態に係る架線金具取替装置１は、架空地線Ｗを支持可能な第１架空地線支持棒２及び第２架空地線支持棒３と、架空地線Ｗを支持した状態の第１架空地線支持棒２及び第２架空地線支持棒３を昇降させることが可能なジャッキ部４と、を備えて構成されている。そのため、架線金具取替装置１によれば、複数の工具等を準備することなく架線金具１００の交換作業を行うことが可能になる。これにより、架線金具取替装置１は、例えば、容易に架線金具１００の交換作業を行うことが可能になる。
【００３５】
また、架線金具取替装置１は、ジャッキ部４を用いて架空地線Ｗを持ち上げる。そのため、架線金具取替装置１によれば、例えば、レバーブロック等の大型の工具を使用することなく架空地線Ｗを持ち上げることが可能になる。これにより、架線金具取替装置１は、例えば、容易かつ安全に架線金具１００の交換を行うことが可能になる。
また、ジャッキ部４は、腕金Ｕに固定可能なベース部７を有すると共に、操作棒６２を操作することにより伸縮部本体６０が伸縮可能に構成されている。そのため、架線金具取替装置１によれば、体力や高い技術力を有することなく架線金具１００の交換を行うことが可能になる。これにより、架線金具取替装置１は、例えば、安全かつ容易に架線金具１００の交換を行うことが可能になる。
【００３６】
また、ジャッキ部４に第１架空地線支持棒及び第２架空地線支持棒を固着させる構成であるため、例えば、複数の工具を準備することなく架線金具１００の交換を行うことが可能になる。
【００３７】
また、架線金具取替装置１は、固定部５に設けられ、第１架空地線支持棒２及び第２架空地線支持棒３を固着させるボルト孔５５，５６，５７，５８が固定部５の長手方向に延びるように縦長状に形成されている。つまり、ボルト孔５５，５６，５７，５８は、架空地線Ｗが架設される方向に延びるように形成されている。そのため、架線金具取替装置１は、第１架空地線支持棒２及び第２架空地線支持棒３を架空地線Ｗの架設方向に移動させることが可能になる。これにより、架線金具取替装置１は、例えば、架線金具１００の大きさに関わらず使用することが可能になる。
【００３８】
なお、本発明は、上記実施形態に何ら限定されることなく、本発明の技術的範囲はこれらに限定されるものではない。
【００３９】
例えば、本実施形態においては、第１延設部２０，３０は、所定の長さに形成されたものを用いて説明したが、本発明においてはこれに限定されない。例えば、第１延設部２０，３０は、伸縮可能に形成されるものであってもよい。第１延設部２０，３０を伸縮可能に形成することにより、例えば、ジャッキ部４を取り付けた位置から水平方向に離れた場所や近い位置に架線金具１００が架設されている場合においても、第１延設部２０，３０を伸縮させることにより、第１架空地線支持棒２及び第２架空地線支持棒３を交換することなく第１架空地線支持棒２及び第２架空地線支持棒３で架空地線Ｗを支持させることが可能になる。つまり、ジャッキ部４を取り付ける位置に関わらず、架空地線Ｗを支持して架線金具１００を容易に交換することが可能になる。
【００４０】
また、例えば、本実施形態においては、第２延設部２１，３１は、所定の長さに形成されたものを用いて説明したが、本発明においてはこれに限定されない。例えば、第２延設部２１，３１は、伸縮可能に形成されたものであってもよい。第２延設部２１，３１を伸縮可能に形成することにより、例えば、腕金Ｕから吊り下げられるように取り付けられた架線金具や腕金から離れた位置又は近い位置に架空地線が架設されている場合においても、第２延設部２１，３１を伸縮させることにより、第１架空地線支持棒２及び第２架空地線支持棒３を交換することなく第１架空地線支持棒２及び第２架空地線支持棒３で架空地線Ｗを支持させることが可能になる。つまり、ジャッキ部４を取り付ける位置に関わらず、架空地線Ｗを支持して架線金具１００を容易に交換することが可能になる。
【００４１】
また、本実施形態においては、第２延設部２１，３１は、第１延設部２０の延設方向に対して所定の角度αを有する方向にフック部２２，３２が設けられるように形成したが、本発明においてはこれに限定されない。例えば、フック部２２，３２は、第２延設部２１，３１に対して回転可能に形成されるものであってもよい。つまり、フック部２２，３２が設けられる所定の角度αは、可変可能であってもよい。フック部２２，３２が設けられる所定の角度αを調整可能に形成することにより、例えば、架空地線Ｗが架設される架設方向とフック部２２，２３とを直交させることが容易となる。これにより、フック部２２，３２と架空地線Ｗとの接触面積が大きくなり、例えば、架空地線Ｗを確実に把持させることが可能になる。
【００４２】
また、本実施形態においては、第１延設部２０，３０に一対の貫通孔２３，２４，３３，３４を設ける構成としたが、本発明においてはこれに限定されない。例えば、貫通孔は、複数設けられる構成としてもよい。貫通孔を複数設ける構成とすることにより、架線金具１００とジャッキ部４との距離を調整可能になり、架線金具取替装置１の取り付けが容易となる。
【符号の説明】
【００４３】
１    架線金具取替装置
２    第１架空地線支持棒
３    第２架空地線支持棒
４    ジャッキ部
５    固定部
６    伸縮部
７    ベース部
２０    第１延設部
２１    第２延設部
２２    フック部
３０    第１延設部
３１    第２延設部
３２    フック部
１００    架線金具
Ｕ    腕金
Ｗ    架空地線
【図１】
2010193656.tif 000003
【図２】
2010193656.tif 000004
【図３】
2010193656.tif 000005
【図４】
2010193656.tif 000006
【図５】
2010193656.tif 000007
【図６】
2010193656.tif 000008